(57)【要約】【課題】方位検出の精度を維持することができる電子機器を提供することを主な目的とする。【解決手段】腕時計１０では、電池枠３３に保持された電池４０と、ケース１１の裏蓋１２との間に回転規制部材６０を設け、電池４０の回転を防止するようにした。回転規制部材６０としては、例えばシリコンゴムやアクリルフォーム等の材料を用いるのが好ましい。【選択図】    図１
2004219242.tif 000002
【特許請求の範囲】
【請求項１】
電池を電源として用いる電子機器であって、
前記電子機器の外殻をなすケースと、
前記ケース内に設けられ、前記電池を保持する電池保持部と、
前記電池保持部における前記電池の回転を規制する回転規制部材と、
を備えることを特徴とする電子機器。
【請求項２】
前記ケースは、前記電池保持部に対して前記電池を着脱するための開口部が形成されるとともに、当該開口部を塞ぐ蓋体が当該開口部に対して着脱可能に備えられ、
前記回転規制部材は、前記電池保持部に保持された状態の前記電池と前記蓋体との間に配設されることを特徴とする請求項１に記載の電子機器。
【請求項３】
前記回転規制部材は、前記電池保持部と、当該電池保持部に保持された状態の前記電池との間に配設されることを特徴とする請求項１または２に記載の電子機器。
【請求項４】
前記回転規制部材は、前記電池を吸着保持可能であることを特徴とする請求項１から３のいずれかに記載の電子機器。
【請求項５】
前記ケース内に、アラーム音を発生する圧電素子がさらに備えられ、
前記回転規制部材は、前記圧電素子と、前記電池保持部に保持された状態の前記電池との間に介在するよう設けられていることを特徴とする請求項１に記載の電子機器。
【請求項６】
前記ケース内に収納され、方位を検出する磁気センサをさらに備えることを特徴とする請求項１から５のいずれかに記載の電子機器。
【請求項７】
前記磁気センサは、前記電池保持部に保持される前記電池の中心から、その半径の２−１／２以内の範囲に設けられていることを特徴とする請求項６に記載の電子機器。
【請求項８】
磁界の向きに対応する信号を出力する磁気センサと、
前記磁気センサに対して磁気的影響を与える略円形の部品要素と、
前記部品要素と前記磁気センサの相対位置に応じ、前記磁気センサから出力された信号を補正する補正処理部と、
前記磁気センサ、前記部品要素、前記補正処理部を収納するケースと、
前記ケース側に固定され、前記部品要素に圧縮状態で面接触する接触部材と、を備えることを特徴とする電子機器。
【請求項９】
前記接触部材は、前記ケース内に前記部品要素が収納された状態で変形して圧縮状態となり、かつ摩擦係数の高い材料であることを特徴とする請求項８に記載の電子機器。
【請求項１０】
前記接触部材は、発泡材であることを特徴とする請求項９に記載の電子機器。
【請求項１１】
前記部品要素、前記磁気センサ、前記補正処理部、前記接触部材を収納するケースを備えるとともに、
前記ケース内に、前記部品要素を収納するため、着脱可能な蓋体を有した開口部が形成され、
前記接触部材は、前記ケース内に収納された状態の前記部品要素と、前記蓋体との間に介在するよう設けられていることを特徴とする請求項８から１０のいずれかに記載の電子機器。
【請求項１２】
前記蓋体は、前記ケースの前記部に対し、ねじ込み式で着脱されることを特徴とする請求項１１に記載の電子機器。
【請求項１３】
情報を表示する表示部と、
磁界を検出する磁気センサと、
略円形の電池を保持する電池保持部と、
前記電池と前記磁気センサの相対位置を固定する固定部材と、
前記表示部で表示する情報を外部に露出させる開口孔を有し、前記表示部、前記磁気センサ、前記電池保持部、前記固定部材を収納するケースと、
を備え、
前記磁気センサは、前記電池保持部に保持される前記電池の中心に対し当該電池の半径の２−１／２以内の範囲で、かつ前記ケースの前記開口孔の内方に配置されていることを特徴とする電子機器。
【請求項１４】
前記ケースが金属を含む材料で形成されていることを特徴とする請求項１３に記載の電子機器。
【発明の詳細な説明】
【０００１】
【発明の属する技術分野】
本発明は、腕時計をはじめとする電子機器に関する。
【０００２】
【従来の技術】
従来より、例えば腕時計等の電子機器に、方位計機能を備えたものがある。このような電子機器は、内部に、地磁気の磁場を検出することで方位を検出する磁気センサを備えている。
ところで、磁気センサにおいて地磁気を検出する場合、磁気センサの周囲に磁性を有する部材や帯磁しやすい部材が存在すると、これらの部材の磁性の影響により、正確な方位の検出が妨げられる。
このため、磁気センサと、これに影響を与える部材とはなるべく離すように設計されるのが一般である。
【０００３】
しかし、腕時計をはじめとする、小型であることが要求される電子機器では、電池やコンデンサ等、磁気センサに影響を与えると思われる部材を、磁気センサから離して配置するのが困難である。
特に、ボタン型（円盤状）の電池を用いる場合、その面積が大きいため、限られた大きさの電子機器のケースに磁気センサと電池を収めるには、電池を小型化すること等が要求される。しかし、電池は、一般に、規格化された市販品を用いており、しかも磁気センサを備えるような電子機器は多機能であることが多いため、自ずと容量の大きな大型の電池が必要となる傾向にある。このため、電池と磁気センサを離して配置する設計は困難を極める。
磁気センサを離すために腕時計等に側方に突出する部分を設け、ここに磁気センサを配置する等の工夫も行われているが、腕時計等にはファッション性も要求されるため、デザイン性を損なったり、設計時にデザインに制限を与えるという問題を依然として抱えている。
【０００４】
このような問題に対し、本出願人は、電池の中心に対し、その半径の２−１／２以内の範囲に磁気センサを配置すれば、磁気センサは電池の影響を受けることなく、良好に方位を検出できることを見出し、これを既に提案している（特許文献１参照。）。
【０００５】
【特許文献１】
特開２００１−２２８２７０号公報（第２頁、図９）
【０００６】
【発明が解決しようとする課題】
上記したような、電池の半径の２−１／２以内の範囲に磁気センサを配置した電子機器について、本出願人が鋭意検討を続けたところ、以下に示すように、電子機器のケース内で電池が回転すると、磁気センサで検出する方位が狂ってしまうという問題を知見した。
【０００７】
電池は、その外殻がステンレスにより形成されていることが多く、ステンレスは一般には磁性を帯びないとされるが、成形時に行われる打ち抜き加工や曲げ加工などによる伸びにより、磁性を帯びることがある。
上記のように磁気センサが電池の半径の２−１／２以内の範囲に位置している電子機器では、電池が磁性を帯びていたとしても、電池を内蔵した状態で磁気センサのキャリブレーションを行うことで、正確な方位検出が行える。
しかし、キャリブレーション後にケース内で電池が回転してしまうと、電池による磁界もキャリブレーション時とは回転するため、これによって、磁気センサで検出する方位が狂うと思われる。
【０００８】
例えば電池交換時には、電池を交換前と同じ状態に取り付けることは困難であるため、当初キャリブレーションした状態に対し、方位が狂うことになるが、このような場合は、電池を交換したことを、電池を交換したメーカや店舗、あるいはユーザが認識しているため、再度キャリブレーションを行うことで、正確な方位検出を行える。
ところが、電子機器を落下させたりぶつけたりして、その衝撃等により電池がケース内で回転してしまった場合、ユーザは電池が回転したことを認識する手段がなく、検出方位が狂ったことを知らないままに電子機器を使い続けることになってしまう。
【０００９】
また、これとは異なる問題で、磁気センサを備えた電子機器においては、一般に、その外殻をなすケースに金属製のものを用いることができず、この点においてもデザイン上の制限を受けることとなっていた。
【００１０】
本発明は、このような技術的課題に基づいてなされたもので、電池の不用意な回転を防止することができる電子機器を提供することを目的とする。
また、電池の不用意な回転を防止することで、方位検出の精度を維持することができる電子機器を提供することを目的とする。
他の目的は、磁気センサを備えた電子機器においても、デザイン上の制限を最小限とすることにある。
【００１１】
【課題を解決するための手段】
かかる目的のもと、本発明の電子機器は、電池を電源として用いるものであり、その外殻をなすケース内に、電池を保持する電池保持部が設けられ、電池保持部における電池の回転を規制する回転規制部材を備えていることを特徴とする。
このような電子機器では、電池の不用意な回転を規制することができる。
なおここで、電池の形状については、断面円形の他、略円形、多角形状等であってもよく、電池保持部で電池が回転してしまうような場合に、回転規制部材によりその回転を規制できるのである。
従来より、ボタン型の電池を用いる場合、電池の側面に正電極端子が接触しており、正電極端子の弾性変形によって発揮される反発力によって、電池の回転をある程度抑止できるとも捉えられるが、本発明では、この正電極端子とは別に、回転規制部材を独立して設けるのである。
もちろん、本発明は、対象とする電池をボタン型のものに限定する意図は無く、他の形状の電池を対象とすることも可能である。
【００１２】
また、ケースは、電池保持部に対して電池を着脱するための開口部が形成され、この開口部を塞ぐ蓋体が開口部に対して着脱可能に備えられる場合、回転規制部材を、電池保持部に保持された状態の電池と蓋体との間に配設することができる。この場合、回転規制部材が電池を吸着保持可能であれば、回転規制部材によって電池を蓋体に付けたままの状態で、この蓋体をケースに装着することができる。
反対に、回転規制部材を、電池保持部と、電池保持部に保持された状態の電池との間に配設することもできる。
なお、電子機器が腕時計である場合には、蓋体はケースの裏側に形成されるのが一般であるが、もちろん他の部分であっても良い。また、開口部を有さないケース、つまり、電池を交換しないような構成においても、回転規制部材によって電池の回転を規制することは有効である。
【００１３】
これ以外に、ケース内に、アラーム音を発生する圧電素子を備える場合、回転規制部材は、圧電素子と、電池保持部に保持された状態の電池との間に介在するよう設ける、という構成とすることもできる。これにより、電池と圧電素子との干渉を防ぐことができる。
この場合、ケース内での圧電素子の位置はいかなるものであっても良いが、例えば、ケースの開口部を塞ぐ蓋体を有する場合、圧電素子を蓋体の裏側に設けることもできる。
ところで、圧電素子の振動を妨げないよう、回転規制部材は、圧電素子の全面には接触せず、部分的に接触するように設けるのが好ましい。より詳しくは、回転規制部材をリング状としたり、複数個に分割して互いに離間するよう配置するのである。
【００１４】
このような電子機器は、ケース内に収納され、方位を検出する磁気センサをさらに備える構成とすることもできる。この場合、磁気センサを、電池から離すようにしても良いが、磁気センサを、電池保持部に保持される電池の中心から、その半径の２−１／２以内の範囲に設けるようにすれば、電池による磁気的影響を最小限とすることができる。このような電子機器において、回転規制部材によって電池の回転を防止すれば、電池による磁気センサへの磁気的影響の変化を防止できる。
【００１５】
本発明は、磁界の向きに対応する信号を出力する磁気センサと、磁気センサに対して磁気的影響を与える略円形の部品要素と、部品要素と磁気センサの相対位置に応じ、磁気センサから出力された信号を補正する補正処理部と、磁気センサ、部品要素、補正処理部を収納するケースと、ケース側に固定され、部品要素に圧縮状態で面接触する接触部材と、を備えることを特徴とする電子機器として捉えることもできる。
ここで、部品要素としては、電池をはじめとして、磁気センサに磁気的影響を与えるあらゆるものを含むことができる。
【００１６】
前記したように、部品要素が電池である場合、電池の側面に接触する正電極端子が、電池の回転をある程度抑止する機能を有するが、電池、正電極端子は両方とも金属性であり、しかも双方は点接触あるいは線接触であるため、双方間に働く摩擦力は低い。
これに対し、本発明の如く、ケース側に固定された接触部材が、部品要素に圧縮状態で面接触することで、接触部材と部品要素の間で働く摩擦力を高めることができる。これにより、接触部材は、部品要素の回転を規制し、その位置を固定することができる。
このような接触部材は、ケース内に部品要素が収納された状態で変形して圧縮状態となり、かつ摩擦係数の高い材料であるのが好ましい。さらに、接触部材を発泡材とすれば、部品要素を吸着し、これを確実に固定できる。具体的な材料例としては、シリコンゴム、アクリルフォーム等が適しているが、これに限るものではなく、柔軟で摩擦係数が高い材料であれば適宜他の材料を採用することができる。
また、このような、部品要素の回転規制機能、固定機能を有する接触部材として、接着剤や両面接着テープ等を用いることも考えられるが、部品要素が、電池のように交換を前提としたものである場合、一度部品要素を取り外すと、接着剤や粘着テープをきれいに剥がして貼り直さなければならない。これに対し、上記のような材料を接触部材に採用することで、部品要素を複数回交換しても、部品に対する摩擦力、吸着力を発揮しつづけることができる。
【００１７】
この電子機器が、部品要素、磁気センサ、補正処理部、接触部材を収納するケースを備え、ケース内に部品要素を収納するための開口部が形成され、さらにこの開口部に着脱可能な蓋体を有している場合、接触部材は、ケース内に収納された状態の部品要素と、蓋体との間に介在するよう設けることができる。このような構成は、特に、蓋体をケースの開口部に対しねじ込み式で着脱する場合に好適である。すなわち、接触部材をこれ以外の場所に設けた場合、蓋体をケースの開口部にねじ込んだときに、この蓋体とともに部品要素が供回りし、接触部材がねじれてしまうことが考えられるが、部品要素と蓋体の間に接触部材を介在させることで、これを防止できる。さらには、接触部材が、前記したように部品要素を吸着するものであれば、接触部材を介して部品要素を蓋体に吸着保持させた状態で、蓋体をケースの開口部にねじ込むことができるので、このような構成とするのがより好ましい。
【００１８】
本発明の電子機器では、磁界を検出する磁気センサを、電池保持部に収納される略円形の電池の中心に対しその半径の２−１／２以内の範囲に配置し、しかも電池保持部に収納される電池と磁気センサの相対位置を固定部材で固定することにより、磁気センサでの方位が狂うのを防止できる。そのような電子機器において、表示部、磁気センサ、電池保持部、固定部材を収納するケースに、表示部で表示する情報を外部に露出させる開口部を有する場合、磁気センサを、開口部の内方に配置するのである。これにより、ケースは、磁気センサで検出する磁界に、ほとんど影響を与えない。したがって、このような電子機器では、ケースを、金属を含む材料で形成することができる。ここで金属を含む材料とは、ケース全体を金属製とする場合、その一部のみを金属製とする場合、ケースの表面を金属でコーティングする場合、これらを金属を含む材料で行う場合、等を含む。
【００１９】
【発明の実施の形態】
以下、添付図面に示す実施の形態に基づいてこの発明を詳細に説明する。
図１は、本実施の形態における電子機器の構成を説明するための図である。
この図１に示すものは、電子機器の一例としての腕時計１０である。ここで、以下の説明において、ユーザが腕時計１０を装着した状態で、ユーザの腕の表面に対向する側を背面側、外方に向く側を表面側、と称することとする。
腕時計１０の本体は、ケース１１と、その背面側に装着される裏蓋（蓋体）１２と、これらケース１１および裏蓋１２によって形成される内部空間に収納される駆動モジュールあるいはムーブメント（以下、単にムーブメントと称する）２０と、を備えている。
【００２０】
ケース１１は、ユーザが腕時計１０を装着した状態で、ユーザの腕の表面に対向する側、つまり背面側に略円形の背面開口部（開口部）１３を有し、この背面開口部１３の内周面には図示しないネジ溝や係止凸部１３ａが形成されている。また、ケース１１には、背面開口部１３とは反対側の表面側に、表面開口部（開口孔）１４が形成され、この表面開口部１４には、パッキン１５を介してフェイスガラス１６が装着されている。
裏蓋１２は、背面開口部１３に装着されるものであり、背面開口部１３の内径に対応した外径を有し、その外周面にはネジ溝や係止爪１２ａが形成されている。これにより、裏蓋１２は、ケース１１の背面開口部１３にねじ込んだり嵌め込んだりすることで、ケース１１に着脱可能とされ、ケース１１に装着された状態で、背面開口部１３を塞ぐ。
【００２１】
ムーブメント２０は、一対のガラス基板２１ａ、２１ｂ間に液晶が封入され、この液晶を駆動することで時刻等の情報を表示する表示部としての液晶パネル２１と、この液晶パネル２１を背面側から照明するＥＬパネル（図示無し）と、この液晶パネル２１およびＥＬパネル（図示無し）を駆動するための回路ブロック２３と、を備えている。
液晶パネル２１およびＥＬパネル（図示無し）は、パネル枠２４と称されるフレームに、パネル押さえ２５と称される部品が係合することで、その外周部を保持されている。
【００２２】
また、回路ブロック２３は、液晶パネル２１およびＥＬパネル（図示無し）の背面側に配設されている。回路ブロック２３は、回路基板２８上に、液晶パネル２１での表示内容や時刻の発振を司るＩＣチップ２９や図示しないコンデンサ等の素子が実装されたものである。
【００２３】
さらに、この回路ブロック２３には、方位（磁界）を検出するための磁気センサ３０が回路基板２８上に実装されている。この磁気センサ３０は、後述する電池４０の中心に対し、その半径の２−１／２以内の範囲に位置するよう配置されている。
【００２４】
回路ブロック２３の回路基板２８には、所定の配線パターンが形成されており、その配線パターンの所定の位置と、液晶パネル２１の所定の位置との間に、ゼブラブロック等と称される導電部材３１が介装されている。この導電部材３１により、回路基板２８から液晶パネル２１およびＥＬパネル（図示無し）に対する給電や、制御信号の伝達が行われるようになっている。
【００２５】
このような回路ブロック２３は、その背面側、つまり液晶パネル２１に対向する側とは反対側の面が、接着、溶着等の適宜固定手段により、電池枠３３に固定されている。
電池枠３３と、液晶パネル２１やＥＬパネル（図示無し）を保持するパネル枠２４には、一方に係止ピン、他方に係止ピンに嵌合する穴が形成され、係止ピンを穴に嵌合させる等の固定手段により、双方を互いに係止することができるようになっている。
【００２６】
これら、液晶パネル２１、ＥＬパネル（図示無し）、回路ブロック２３、パネル枠２４、導電部材３１、電池枠３３等が組み上げられることにより、前記ムーブメント２０が構成されている。
【００２７】
さて、電池枠３３の背面側には、ボタン型の電池（部品要素）４０を収納する凹部（電池保持部）３４が形成されている。この凹部３４は、その外径が電池４０の外径よりも大きく形成され、その内側面３４ａから、電池４０の外側面の正極（ＶＤＤ）４０ａに接触する正電極端子（図示無し）が延出している。また、凹部３４の底面３４ｂからは、電池４０の一面側の負極（ＶＳＳ）４０ｂに接触する負電極端子３５が延出している。
【００２８】
本実施の形態において、裏蓋１２には、ムーブメント２０に対向する側に、その外周部に沿って、ケース１１の背面開口部１３に係止する係止爪１２ａ等を有した立ち上がり壁１２ｂが形成されている。そして、立ち上がり壁１２ｂの内方に形成される凹部に、アラーム用の圧電素子５０と放音板（図示無し）とが配設されるようになっている。
ここで、圧電素子５０は、略円形のフィルム状で、裏蓋１２に対し、接着剤や両面接着テープ等の適宜固定手段によって取り付けられている。
なお、図１において、符号１７は、裏蓋１２において、立ち上がり壁１２ｂよりも外周側に張り出した外周縁部１２ｃと、ケース１１の係止凸部１３ａとの間に介在する防水パッキンである。
【００２９】
このような腕時計１０において、裏蓋１２をケース１１の背面開口部１３に装着した状態で、裏蓋１２に取り付けられた圧電素子５０と、電池枠３３の凹部３４に取り付けられる電池４０との間に、所定のクリアランスＣが形成されるようになっている。
そして、裏蓋１２に取り付けられた圧電素子５０と、電池４０の背面４０ｃとの間には、電池４０の回転を防止する回転規制部材（接触部材、固定部材）６０が備わっている。
回転規制部材６０は、例えば柔軟で弾性を有し、かつ摩擦係数の高い材料で、さらには電池４０に対し面接触し、かつ吸着力を発揮する材料で形成するのが好ましく、そのような材料としては、例えばシリコンゴムやアクリルフォーム等、発泡性を有したものが最適である。
このような材料から形成される回転規制部材６０は、自然な状態（無負荷の状態）で、その厚さｔが、圧電素子５０と、電池枠３３の凹部３４に取り付けられた電池４０との間のクリアランスＣよりも大きくなるように設定されている。
これにより、回転規制部材６０は、裏蓋１２に取り付けられた圧電素子５０と、電池枠３３の凹部３４に取り付けられた電池４０との間で、圧縮変形した状態となる。回転規制部材６０を、上記したようなシリコンゴムやアクリルフォーム等の発泡性を有した材料で形成すると、回転規制部材６０が圧縮されたときに、電池４０に面した側で気泡内の空気が押し出されて略真空状態となる。これによって回転規制部材６０が電池４０を吸着する力を発揮し、電池４０の回転を防止する。
【００３０】
このような回転規制部材６０は、裏蓋１２の圧電素子５０上に、リング状、あるいは放射状に配設することができる。もちろん、裏蓋１２の全面に配設することもできるが、圧電素子５０を振動させるときに、圧電素子５０でその振動を抑えてしまうため、回転規制部材６０は、圧電素子５０の全面ではなく一部分にのみ接触するような形状、配置とするのが好ましい。
そして、回転規制部材６０をリング状、あるいは放射状等の、圧電素子５０の全面ではなく一部分にのみ接触するような形状、配置とした結果、回転規制部材６０を圧電素子５０の全面にわたって設けるような場合に比較し、裏蓋１２を閉める時に、回転規制部材６０の単位面積当たりにかかる圧力が大きくなるため、回転規制部材６０を容易に圧縮変形させることができ、電池４０に容易かつ確実に密着させることができ、また裏蓋１２を閉めるのに大きな力を要することもない。
【００３１】
さて、上述したような回転規制部材６０を備えた腕時計１０では、磁気センサ３０で方位を検出する。このとき、磁気センサ３０で検出する磁界に影響を与え得る電池４０を装着した状態で、キャリブレーション（初期設定）を予め行う。これにより、磁気センサ３０で検出された方位は、補正処理部として機能するＩＣチップ２９に予め記憶されたプログラムにより、キャリブレーション時の電池４０による影響を加味して補正され、液晶パネル２１上に方位情報として表示される。
このような腕時計１０では、回転規制部材６０により、電池４０の回転を防止することができる。したがって、磁気センサ３０で検出する方位が、キャリブレーション時から不用意に狂うのを防止でき、高精度を維持することができる。
【００３２】
回転規制部材６０は、電池枠３３の凹部３４の底面３４ｂ側に配置させ、電池４０を電池枠３３に固定する構成とすることも考えられる。しかし、この場合、裏蓋１２をケース１１に対してねじ込み式としたとき、裏蓋１２をねじ込むと、電池４０が供回りしてしまうことがある。すると、電池４０と電池枠３３との間に介在する回転規制部材６０にねじれるような力が作用する。この力が過大になると、回転規制部材６０が千切れる等の可能性がある。
これに対し、上述したように、裏蓋１２側に回転規制部材６０を配置するようにしたので、装着時に裏蓋１２を回転させても、電池４０は裏蓋１２に吸着保持されて一体となっているため、回転規制部材６０が捩れる等の不都合が生じるのを回避することができる。
また、特に、ユーザ自らが電池４０を交換する場合、裏蓋１２を開き、電池枠３３に装着されていた古い電池４０を取り外した後、新しい電池４０を裏蓋１２に押し付けると、回転規制部材６０の吸着力によって固定することができる。これによって、新しい電池４０が裏蓋１２に保持されるので、図２に示すように、電池４０を保持したままの裏蓋１２をケース１１の背面開口部１３に取り付ければ、電池４０を容易に交換することが可能となる。このような場合、回転規制部材６０は、裏蓋１２に接着剤や両面接着テープ等の適宜固定手段により固定しておくのが好ましい。
ところで、回転規制部材６０に、例えばシリコンゴムやアクリルフォーム等の材料を用いたが、電池４０を何回も付けたり剥がしたりしても、長期に渡って電池４０を固定する機能を維持し、高い耐久性を得ることができる。また、剥がす際も、電池４０を軽く引き上げれば、回転規制部材６０の気泡に空気が入り込むので、電池４０を容易に剥がすことができる。これにより、電池４０の交換作業を容易に行うことができるのである。
【００３３】
加えて、回転規制部材６０が、電池４０と圧電素子５０の間に介在した構成となっているため、回転規制部材６０がスペーサとして機能し、電池４０が圧電素子５０に干渉するのを防ぐことができ、圧電素子５０の割れが防止できる、という効果もある。
【００３４】
また、このような腕時計１０では、磁気センサ３０は、電池４０の中心に対し、その半径の２−１／２以内の範囲に配置されているため、電池４０が磁性を帯びても方位を正確に検出することができる。このような腕時計１０においては、電池４０の大きさにかかわらず、磁気センサ３０がケース１１の表面開口部１４の略中央部に位置することになり、ケース１１や裏蓋１２を金属製としても、方位を正確に検出することができる。
【００３５】
〔他の実施の形態〕
さて、上記に説明した実施の形態では、回転規制部材６０を、電池４０と裏蓋１２の間に介在させる構成としたが、これとは異なる配置とすることもできる。以下には、そのような他の実施の形態として、電池４０と電池枠３３との間に回転規制部材（接触部材、固定部材）６１を介在させる場合の例を示す。
なお、以下の説明において、上記実施の形態との相違は回転規制部材６１の配置のみであり、腕時計１０の他の部分の構成については共通とすることができるので、上記実施の形態と共通する構成については、図１で用いたのと同符号を付し、その説明を省略する。
図３に示すように、電池枠３３の凹部３４には、電池４０の外周部に対応する位置に、回転規制部材６１が配設されている。
この回転規制部材６１は、凹部３４の周方向に連続するリング状、あるいは凹部３４の周方向において複数箇所に設置された構成となっている。回転規制部材６１は、上記回転規制部材６０と同様、例えば発泡性を有したシリコンゴムやアクリルフォーム等、柔軟で弾性を有し、かつ摩擦係数の高い材料で、さらには電池４０に対し吸着力を発揮する材料で形成するのが好ましい。
このような回転規制部材６１は、電池４０を位置決めするため、凹部３４の底面３４ｂから表面開口部１４に向けて、その内径が漸次拡大する断面テーパ状とするのが好ましい。
【００３６】
さて、上記構成では、電池４０の負極４０ｂに当接する負電極端子３５が反発力を発揮する方向と、電池４０が押し付けられることで回転規制部材６１が発揮する方向が一致しているため、電池４０を凹部３４の底面３４ｂ側に押し付けるのが好ましい。
このためには、電池４０を裏蓋１２で押圧するため、電池４０と裏蓋１２に取り付けられた圧電素子５０との間に、押圧ブロック６２等を備えることができる。このとき、押圧ブロック６２は、圧電素子５０と電池４０との電気的短絡を防ぐため、絶縁性を有した材料で形成するのが好ましい。なお、この押圧ブロック６２は、必ずしも必須の構成ではなく、必要に応じて適宜設置すればよい。
【００３７】
このような構成の回転規制部材６１は、裏蓋１２をケース１１の表面開口部１４に取り付けた状態で、電池４０に対して高い摩擦力を発揮し、その回転を防止することができる。したがって、上記実施の形態と同様、磁気センサ３０で検出する方位がキャリブレーション時から不用意に狂うのを防止でき、高精度を維持することができる。しかも、回転規制部材６１に、例えばシリコンゴムやアクリルフォーム等の材料を用いることで、高い耐久性を得ることができる。
もちろん、磁気センサ３０は、電池４０の中心に対し、その半径の２−１／２以内の範囲に配置されているため、電池４０が磁性を帯びても、その影響にかかわらず方位を検出することができる。このような腕時計１０においては、電池４０の大きさにかかわらず、磁気センサ３０がケース１１の表面側の表面開口部１４の略中央部に位置することになり、ケース１１や裏蓋１２を金属製としても、方位を正確に検出することができる。
また、回転規制部材６１は、その断面がテーパ状とされているので、電池４０の位置決めを容易に行うことができるという効果も奏することができる。
【００３８】
なお、上記実施の形態では、図３に示したような構成で、回転規制部材６１を例えばシリコンゴムやアクリルフォーム等の材料で形成し、押圧ブロック６２を他の材料で形成するような記述をしたが、もちろん、押圧ブロック６２についても、例えばシリコンゴムやアクリルフォーム等の材料を用いることができる。
このような構成は、いわば、図１と図３の構成を合わせたような構成であるが、この場合、回転規制部材６１側は、単に電池４０の位置決めのための機能とすることもできる。そのような場合、回転規制部材６１を、シリコンゴムやアクリルフォーム等の材料ではなく、樹脂等で形成しても良いし、電池４０の正極４０ａに接する正電極端子として機能させることもできる。
【００３９】
さて、図１、図３に示した構成において、腕時計１０の各部の構成を具体的に示したが、本発明のポイントと直接関与しない部分については、他のいかなる構成に変更してもなんら支障はない。例えば、ＥＬパネル（図示無し）は、必ずしも必須ではなく、省略した構成とすることもできるし、他の照明手段に変更することもできる。
また、方位計を備えるのであれば、デジタル式の腕時計１０に限らず、アナログ式の時計、その他、気圧や水圧を測るための圧力計、気温や水温を計るための温度計、その他、ＧＰＳによる測位機能や、ルートナビゲーション機能等を有した電子機器、ＰＤＡ等の多機能の電子機器等にも本発明を適用することが可能である。
もちろん、そのような電子機器は、腕時計型に限らず、さまざまな形態とすることが可能である。
これ以外にも、本発明の主旨を逸脱しない限り、上記実施の形態で挙げた構成を取捨選択したり、他の構成に適宜変更することが可能である。
【００４０】
【発明の効果】
以上説明したように、本発明の電子機器によれば、回転規制部材により、電池の不用意な回転を規制することができる。
電子機器が、方位を検出する磁気センサをさらに備える場合、磁気センサを、電池保持部に保持される電池の中心から、その半径の２−１／２以内の範囲に設けることで、電池による磁気的影響を最小限とすることができる。しかも、回転規制部材で電池の回転を規制することで、磁気センサで検出する方位がキャリブレーション時から不用意に狂うのを防止でき、高精度を維持することができる。
このような回転規制部材は、電池を着脱するためのケースの開口部を塞ぐ蓋体と、電池保持部に保持された状態の電池と蓋体との間に配設することもできるし、反対に、電池保持部と、電池保持部に保持された状態の電池との間に配設することもできる。前者の場合、回転規制部材が電池を吸着保持可能であれば、回転規制部材によって電池を蓋体に付けたままの状態で、この蓋体をケースに装着することができるので、電池の装着が容易に行える。
また、ケース内にアラーム音を発生する圧電素子を備える場合、回転規制部材を、圧電素子と、電池保持部に保持された状態の電池との間に介在するよう設けることで、電池と圧電素子との干渉を防ぎ、圧電素子の割れ等を防止できる。
【００４１】
また、本発明の電子機器によれば、ケース側に固定された接触部材が、部品要素に圧縮状態で面接触することで、接触部材と部品要素の間で働く摩擦力を高め、接触部材は部品要素の回転を規制し、その位置を固定することができる。その結果、磁気センサで検出する方位が不用意に狂うのを防止できる。
このような接触部材を、ケース内に部品要素が収納された状態で圧縮変形し、かつ摩擦係数が高い材料とすれば、部品要素を確実に固定できる。さらに、接触部材を発泡材とすれば、部品要素を吸着することができ、しかも部品要素を複数回交換しても、部品に対する摩擦力、吸着力を発揮しつづけることができる。
また、電子機器のケースに形成された開口部に、着脱可能な蓋体を有している場合、接触部材を、ケース内に収納された状態の部品要素と、蓋体との間に介在するよう設ければ、接触部材を介して部品要素を蓋体に吸着保持させた状態で、蓋体をケースの開口部に装着することができ、ユーザ等であっても、電池等の部品要素の交換を容易に行える。さらに、蓋体が、ケースの開口部に対しねじ込み式である場合、蓋体をケースの開口部にねじ込んだときに、この蓋体とともに部品要素が供回りして接触部材がねじれてしまうのを防止できる。
【００４２】
さらに、本発明の電子機器では、磁界を検出する磁気センサを、電池保持部に保持される略円形の電池の中心に対しその半径の２−１／２以内の範囲に配置し、しかも電池保持部に保持される電池と磁気センサの相対位置を固定部材で固定することにより、磁気センサで検出する方位が狂うのを防止できる。そのような電子機器において、磁気センサを、ケースの開口部の内方に配置すれば、ケースは、磁気センサで検出する磁界に、ほとんど影響を与えない。したがって、このような電子機器では、ケースを、金属を含む材料で形成することが可能となる。その結果、電子機器のデザインを最小限の制限で自由に行うことができ、特にケースを金属を含む材料で形成することで電子機器の付加価値を高めることもできる。
【図面の簡単な説明】
【図１】本実施の形態における腕時計の要部の構成を示す断面図である。
【図２】裏蓋に電池を付け、ケースに取り付ける状態を示す断面図である。
【図３】他の実施の形態における腕時計の要部の構成を示す図である。
【符号の説明】
１０…腕時計（電子機器）、１１…ケース、１２…裏蓋（蓋体）、１３…背面開口部（開口部）、１４…表面開口部（開口孔）、２０…ムーブメント、２１…液晶パネル（表示部）、２３…回路ブロック、２４…パネル枠、３０…磁気センサ、３３…電池枠、３４…凹部（電池保持部）、４０…電池（部品要素）、５０…圧電素子、６０、６１…回転規制部材（接触部材、固定部材）、６２…押圧ブロック
【図１】
2004219242.tif 000003
【図２】
2004219242.tif 000004
【図３】
2004219242.tif 000005